(57)【要約】【課題】放送局システムにおける放送信号の伝送の中断を効果的に防止することを可能にする仕組みを提供すること。【解決手段】放送局システムの放送信号中継装置であって、入力された放送信号に基づいて無線信号を生成し、生成された前記無線信号を前記放送局システムの無線チャネルである第１通信チャネル上で前記放送局システムの受信装置に送信する第１送信部と、前記放送信号に基づいてＩＰパケットを生成し、生成された前記ＩＰパケットを、前記第１通信チャネル上の前記無線信号と並列的に、前記第１通信チャネルとは異なる第２通信チャネル上で前記受信装置に送信する第２送信部と、を備える放送信号中継装置が提供される。【選択図】図３
2020178179.tif 000002
【特許請求の範囲】
【請求項１】
放送局システムの放送信号中継装置であって、
入力された放送信号に基づいて無線信号を生成し、生成された前記無線信号を前記放送局システムの無線チャネルである第１通信チャネル上で前記放送局システムの受信装置に送信する第１送信部と、
前記放送信号に基づいてＩＰパケットを生成し、生成された前記ＩＰパケットを、前記第１通信チャネル上の前記無線信号と並列的に、前記第１通信チャネルとは異なる第２通信チャネル上で前記受信装置に送信する第２送信部と、
を備える放送信号中継装置。
【請求項２】
前記第２送信部は、前記第１送信部を経由した前記放送信号に基づいて前記ＩＰパケットを生成する、請求項１に記載の放送信号中継装置。
【請求項３】
前記第１送信部を経由した前記放送信号はエラー訂正符号化後の放送信号である、請求項２に記載の放送信号中継装置。
【請求項４】
前記第１送信部を経由した前記放送信号はフレーミング後の放送信号である、請求項２に記載の放送信号中継装置。
【請求項５】
前記第１送信部を経由した前記放送信号はスタッフィング後の放送信号である、請求項２に記載の放送信号中継装置。
【請求項６】
前記第２送信部は、前記放送信号に基づいて生成された前記ＩＰパケットの送信を遅延させる遅延部を備える、請求項１から５のいずれか１項に記載の放送信号中継装置。
【請求項７】
前記遅延部は、前記第１送信部で行われる処理に関するパラメータに応じて決定される遅延量だけ、前記ＩＰパケットの送信を遅延させる、請求項６に記載の放送信号中継装置。
【請求項８】
請求項１から７のいずれか１項に記載の放送信号中継装置と、前記受信装置と、を備える放送信号中継システム。
【請求項９】
前記受信装置は、
前記第１通信チャネル上の前記無線信号を受信し、受信した前記無線信号から第１受信信号を生成する第１受信部と、
前記第２通信チャネル上の前記ＩＰパケットを受信し、受信した前記ＩＰパケットから第２受信信号を生成する第２受信部と、
前記第１受信部からの前記第１受信信号と前記第２受信部からの前記第２受信信号のうちいずれか一方の受信信号を選択する選択部と、
を備える請求項８に記載の放送信号中継システム。
【請求項１０】
入力された放送信号に基づいて放送局システムの受信装置に送信するための無線信号を生成し、生成された前記無線信号を前記放送局システムの無線チャネルである第１通信チャネル上で前記受信装置に送信することと、
前記放送信号に基づいて前記受信装置に送信するためのＩＰパケットを生成し、生成された前記ＩＰパケットを、前記第１通信チャネル上の前記無線信号と並列的に、前記第１通信チャネルとは異なる第２通信チャネル上で前記受信装置に送信することと、
を備える、放送信号中継方法。
【発明の詳細な説明】
【技術分野】
【０００１】
本発明は、放送信号中継装置、放送信号中継システム、及び、放送信号中継方法に関する。
【背景技術】
【０００２】
放送事業用の無線チャネルを用いて報道やマラソン中継のための放送信号を、中継無線局から受信設備（放送局等）へ伝送する放送局システムが知られている。この放送局システムは、一般にＦＰＵ（Field  Pickup  Unit）と呼ばれる装置又は回線を用いる。当該回線は、ＦＰＵ回線又はマイクロウェーブリンク（Microwave  Link）と呼ばれることもある。
【０００３】
ＦＰＵ回線の通信レートや信頼性を向上させるための技術開発は継続的に行われているが（例えば、ARIB-STD-B33（非特許文献１）、ARIB-STD-B11（非特許文献２）、特許文献１）、依然としてＦＰＵ回線の回線品質の劣化や機器故障等によって伝送される放送信号が一時的に途切れてしまうことがある。
【０００４】
放送サービスは、例えばその公共性の高さから、特に放送信号のリアルタイム伝送においては、高い信頼性が求められている。例えば、放送信号の伝送の中断を防ぐために、放送局システム内の装置や回線について、冗長構成を採用することがある。
【０００５】
例えば特許文献２には、２つの系統の送信器からの出力を無瞬断で切り替える技術が開示されている。また、例えば特許文献３には、地上デジタルテレビ放送のシステム構成において、コンテンツの欠落を防ぐために通信伝送路の確立時間分のコンテンツをバッファリング（遅延）するシステムが記載されている。
【０００６】
一方、例えば特許文献４には、放送局システムにおいて、無線チャネルのＦＰＵ回線に加え有線チャネルを用い、当該有線チャネルで放送局システムの支援情報を伝送する技術も開示されている。
【先行技術文献】
【特許文献】
【０００７】
【特許文献１】特開２０１５−０４１９５４号公報
【特許文献２】特開２００６−２７０２２８号公報
【特許文献３】特開２００４−０４０６０４号公報
【特許文献４】特開２０１５−１５４４２８号公報
【非特許文献】
【０００８】
【非特許文献１】“テレビジョン放送番組素材伝送用可搬形OFDM方式デジタル無線伝送システム（ARIB  STD-B33  1.3版）”，  ARIB，  2018年1月22日
【非特許文献２】“テレビジョン放送番組素材伝送用可搬形マイクロ波帯デジタル無線伝送システム（ARIB  STD-B11  2.2版）”，  ARIB，  2005年11月30日
【発明の概要】
【発明が解決しようとする課題】
【０００９】
冗長構成を採用する技術の例として、例えば特許文献３が挙げられる。ところが、特許文献３のシステムは地上デジタルテレビ放送に関するシステムであって、視聴コンテンツの欠落は回避できるものの、視聴に時間的な中断が生じることを防ぐものではない。また、特許文献３は、冗長構成を用いて放送信号を放送局等の受信設備に伝送することを開示するものではない。
【００１０】
また、特許文献４には、放送局システムにおいて、有線回線を利用することが記載されているが、放送信号の伝送の中断を防ぐために冗長構成を採用することは記載されていない。
【００１１】
冗長構成を採用する場合、一般的には、複数の装置又は回線を用意する必要がある。放送局システムを使用する事業者は運用形態や事業用途に合わせた様々な機材や設備を用意しなければならず、冗長構成の採用は、機材数や設備コストが大きくなってしまうという問題があった。
【００１２】
放送局システムにおいて、例えば、放送局システムにおける機材数や設備コストを低減しつつ、放送信号の伝送の中断を防ぐことができれば望ましい。
【００１３】
そこで、本開示の技術の目的は、放送局システムにおける放送信号の伝送の中断を効果的に防止することを可能にする仕組みを提供することにある。
【課題を解決するための手段】
【００１４】
本開示の放送局システムの放送信号中継装置は、入力された放送信号に基づいて無線信号を生成し、生成された上記無線信号を上記放送局システムの無線チャネルである第１通信チャネル上で上記放送局システムの受信装置に送信する第１送信部と、上記放送信号に基づいてＩＰパケットを生成し、生成された上記ＩＰパケットを、上記第１通信チャネル上の上記無線信号と並列的に、上記第１通信チャネルとは異なる第２通信チャネル上で上記受信装置に送信する第２送信部と、を備える。
【００１５】
本開示の放送信号中継システムは、入力された放送信号に基づいて無線信号を生成し、生成された上記無線信号を上記放送局システムの無線チャネルである第１通信チャネル上で放送局システムの受信装置に送信する第１送信部と、上記放送信号に基づいてＩＰパケットを生成し、生成された上記ＩＰパケットを、上記第１通信チャネル上の上記無線信号と並列的に、上記第１通信チャネルとは異なる第２通信チャネル上で上記受信装置に送信する第２送信部とを備える放送信号中継装置と、受信装置とを備える。
【００１６】
本開示の放送信号中継方法は、入力された放送信号に基づいて放送局システムの受信装置に送信するための無線信号を生成し、生成された上記無線信号を上記放送局システムの無線チャネルである第１通信チャネル上で上記受信装置に送信することと、上記放送信号に基づいて上記受信装置に送信するためのＩＰパケットを生成し、生成された上記ＩＰパケットを、上記第１通信チャネル上の上記無線信号と並列的に、上記第１通信チャネルとは異なる第２通信チャネル上で上記受信装置に送信することと、を備える。
【発明の効果】
【００１７】
本発明によれば、放送局システムにおける放送信号の伝送の中断を効果的に防止すること可能になる。なお、本発明により、当該効果の代わりに、又は当該効果とともに、他の効果が奏されてもよい。
【図面の簡単な説明】
【００１８】
【図１】本開示の実施形態に係る放送局システムの構成の一例を示す概略図である。
【図２】放送局システムの技術課題について説明するための説明図である。
【図３】第１の実施形態に係るシステム構成の一例を示すブロック図である。
【図４】第１の実施形態において放送信号中継装置が無線信号を送信する処理の流れの一例を示すフローチャートである。
【図５】第２の実施形態に係るシステムの構成の一例を示すブロック図である。
【図６】第２の実施形態の第１構成例に係る放送信号中継装置の構成の一例を示すブロック図である。
【図７】変調次数のパラメータの一例を示す説明図である。
【図８】符号化率のパラメータの一例を示す説明図である。
【図９】時間インタリーブ長のパラメータの一例を示す説明図である。
【図１０】第２の実施形態に係る放送信号受信装置の第１構成例を示すブロック図である。
【図１１】第２の実施形態において無線信号及びＩＰパケットを送信する処理の流れの一例を示すフローチャートである。
【図１２】第２の実施形態において無線信号及びＩＰパケットを受信する処理の流れの一例を示すフローチャートである。
【図１３】第２の実施形態に係る放送信号中継装置の第２構成例を示すブロック図である。
【図１４】第２の実施形態に係る放送信号中継装置の第３構成例を示すブロック図である。
【図１５】第２の実施形態に係る放送信号中継装置の第４構成例を示すブロック図である。
【図１６】第２の実施形態に係る放送信号中継装置の第５構成例を示すブロック図である。
【図１７】第３の実施形態に係る放送信号受信装置の構成の一例を示すブロック図である。
【図１８】第３の実施形態に係る放送信号受信装置の第１受信信号生成処理及び第２受信信号生成処理の一例を示すフローチャートである。
【図１９】第３の実施形態に係る放送信号受信装置の選択処理の一例を示すフローチャートである。
【図２０】第１変形例に係るシステムの構成及び放送信号中継装置の構成の一例を示すブロック図である。
【図２１】第２変形例に係るシステムの構成及び放送信号中継装置の構成の一例を示すブロック図である。
【図２２】第３変形例に係るシステムの構成及び放送信号中継装置の構成の一例を示すブロック図である。
【発明を実施するための形態】
【００１９】
以下、添付の図面を参照して本発明の実施形態を詳細に説明する。なお、本明細書及び図面において、同様に説明されることが可能な要素については、同一の符号を付することにより重複説明が省略され得る。
【００２０】
説明は、以下の順序で行われる。
１．概要
１−１．放送局システムの構成例
１−２．課題の説明
２．第１の実施形態
２−１．システムの構成例
２−２．放送信号中継装置の構成例
２−３．処理の流れ
３．第２の実施形態
３−１．システムの構成例
３−２．放送信号中継装置の第１構成例
３−３．放送信号受信装置の構成例
３−４．処理の流れ
３−５．放送信号中継装置の第２構成例
３−６．放送信号中継装置の第３構成例
３−７．放送信号中継装置の第４構成例
３−８．放送信号中継装置の第５構成例
４．第３の実施形態
４−１．システムの構成例
４−２．放送信号受信装置の構成例
４−３．処理の流れ
５．変形例
５−１．第１変形例
５−２．第２変形例
５−３．第３変形例
６．まとめ
【００２１】
＜＜１．概要＞＞
＜１−１．放送局システムの構成例＞
図１は、本開示の実施形態に係る放送局システム１の構成の一例を示す概略図である。図１を参照して、本開示のいくつかの実施形態が適用され得る放送局システムの概要について説明する。
【００２２】
図１の放送局システム１は、ＦＰＵ装置２ａ、ＦＰＵ装置２ｂ、ＦＰＵ基地局３ａ、ＦＰＵ基地局３ｂ、ＦＰＵ基地局３ｃ、受信設備４、及び、送信所５を含む。
【００２３】
ＦＰＵ装置２ａは、第１通信チャネル１０を介してＦＰＵ基地局３ａ及び受信設備４へ接続される。ＦＰＵ装置２ａは、一般的に移動性又は可搬性を有しており放送番組の取材拠点で用いられる。ＦＰＵ装置２ａは、例えば車両やヘリコプター等の移動体に搭載され得る。
【００２４】
ＦＰＵ装置２ｂは、第１通信チャネル１０及び第２通信チャネル２０を介してＦＰＵ基地局３ｂと接続され、第１通信チャネル１０を介してＦＰＵ基地局３ｃと接続される。ＦＰＵ装置２ｂは、ハンディ型ＦＰＵとも呼ばれ、一般的に移動性又は可搬性を有しており放送番組の取材拠点で用いられる。ＦＰＵ装置２ｂは、例えばカメラマンによって運搬され得る。
【００２５】
ＦＰＵ装置２（２ａ，２ｂを含む。以下、いずれも含む場合は単にＦＰＵ装置２と記載することがある。）の使用例は上述した態様に限られず、他のいかなる態様で使用されてもよい。例えば、ＦＰＵ装置２は移動体に搭載されなくともよく、放送番組の取材拠点に一時的又は半固定的に設置されてもよい。
【００２６】
ＦＰＵ基地局３ａは、第１通信チャネル１０を介してＦＰＵ装置２ａと接続され、第１通信チャネル１０及び第２通信チャネル２０を介して受信設備４と接続される。ＦＰＵ基地局３ａは、例えば山頂に設置され得る。
【００２７】
ＦＰＵ基地局３ｂは、第１通信チャネル１０及び第２通信チャネル２０を介してＦＰＵ装置２ｂと接続され、第１通信チャネル１０を介して受信設備４と接続される。ＦＰＵ基地局３ｂは、例えば中継車両に設置され得る。
【００２８】
ＦＰＵ基地局３ｃは、第１通信チャネル１０を介してＦＰＵ装置２ｂと接続され、第１通信チャネル１０及び第２通信チャネル２０を介して受信設備４へ接続される。ＦＰＵ基地局３ｃは、例えばビルの屋上に設置され得る。
【００２９】
ＦＰＵ基地局３（３ａ〜３ｃを含む。以下、いずれも含む場合は単にＦＰＵ基地局３と記載することがある。）の使用例は上述した態様に限られず、他のいかなる態様で使用されてもよい。なお、ＦＰＵ基地局３ｂの中継車両は、ＦＰＵ装置２として用いられてもよい。
【００３０】
ＦＰＵ基地局３が受信設備４へ放送信号を伝送するための回線又は装置を、ＴＳＬ（Transmitter  to  Studio  Link）と呼ぶことがある。このＴＳＬは、無線回線を利用したものであってもよいし、光ファイバー回線などの有線回線を利用したものであってもよい。
【００３１】
ＦＰＵ装置２及びＦＰＵ基地局３の各々は、第１通信チャネル１０又は第２通信チャネル２０を使用して、受信設備４に放送信号を中継し得る。放送信号は、受信設備４に到達するまでに、１つ以上のＦＰＵ基地局３を経由されてもよいし経由されなくてもよい。また、第１通信チャネル１０又は第２通信チャネル２０のいずれか一方の通信チャネルを使用してもよいし、両方の通信チャネルを使用してもよい。
【００３２】
受信設備４は、演奏所やスタジオと呼ばれる放送局の設備である。受信設備４には、ＦＰＵ基地局３から伝送される放送信号を受信するための放送信号受信装置が設置され、受信した放送信号に基づいて放送番組の制作や発信が受信設備４において行われる。受信設備４から発信される放送コンテンツは、ＳＴＬ（Studio  to  Transmitter  Link）と呼ばれる回線を使用して送信所５へ伝送される。
【００３３】
送信所５は、受信設備４から伝送された放送コンテンツを、当該送信所５の放送区域内の視聴者装置又は中継局へ伝送する。当該中継局と送信所５との間の回線を、ＴＴＬ（Transmitter  to  Transmitter  Link）と呼ぶことがある。
【００３４】
＜１−２．課題の説明＞
図２は、放送局システム１の技術課題について説明するための説明図である。放送局システム１のＦＰＵ回線で伝送される放送信号は、回線品質の劣化や機器故障等によって一時的に途切れてしまうことがある。放送サービスは、例えばその公共性の高さから、特に放送信号のリアルタイム伝送においては、高い信頼性が求められている。そのため、放送局システム１において、例えば、ある送信地点とある受信地点との間で第１通信チャネル１０及び第２通信チャネル２０の２つの通信チャネルを用いて放送信号を伝送する冗長構成を採用することがある。
【００３５】
図１に示した放送局システム１の一例においては、ＦＰＵ基地局３ａと受信設備４との間、ＦＰＵ基地局３ｃと受信設備４との間、及びＦＰＵ装置２ｂとＦＰＵ基地局３ｂとの間で、冗長構成が採用されている。
【００３６】
冗長構成を採る地点間の伝送は、第１通信チャネル１０と、第１通信チャネル１０と異なる第２通信チャネル２０とを並列的に使用することにより、例えば一方の通信チャネルの伝送状況が悪化したとき、他方の通信チャネルで伝送される放送信号を用いることができるため、放送信号の伝送の中断を回避することができる。
【００３７】
冗長構成の一例として、送信側ＦＰＵ１０００と受信側ＦＰＵ２０００との間に、第１通信チャネル１０としてＦＰＵ回線を用い、送信側ＩＰ通信装置１１００と受信側ＩＰ通信装置２１００との間に、第２通信チャネル２０としてＩＰ回線を並列的に用いるシステム構成を図２に例示する。ＩＰ回線は、インターネットプロトコル（ＩＰ：Internet  Protocol）を用いたＩＰパケットを伝送するための回線である。
【００３８】
この例では、冗長構成を採らない構成に対して、少なくとも送信側ＩＰ通信装置１１００、受信側ＩＰ通信装置２１００、放送信号を選択する選択装置４０００、の３つの装置がシステムに追加されており、冗長構成を採用すると機材数が増加してしまうという課題があった。また、放送局システム１において、機材の導入コストや運用コストの低減、装置の小型化や簡略化、あるいは、消費電力等の低減が求められていた。
【００３９】
他にも、図２の冗長構成例は、放送信号の送信側である送信側ＦＰＵ１０００と送信側ＩＰ通信装置１１００とが互いに独立した装置であるため、互いの動作を連携させることが難しく、受信信号のシームレスな切り替えが効果的に行われていないという課題があった。
【００４０】
例えば、送信側ＦＰＵ１０００及び送信側ＩＰ通信装置１１００は、例えばそれぞれ独自のタイミングで無線信号又はＩＰパケットを送信し得る。そのため、無線信号に含まれる放送信号とＩＰパケットに含まれる放送信号との間に大きな遅延差が生じる可能性がある。これに対し、受信側の選択装置４０００では、大きな遅延差が生じても受信信号の切り替えがシームレスに行われるようにするための対策を行う必要があった。例えば、選択装置４０００は、想定される大きな遅延差にも対応できるように、想定される遅延差を補償し得るメモリ容量を確保する必要があった。
【００４１】
また、受信側の選択装置４０００は、受信側ＦＰＵ２０００から受信した受信信号と受信側ＩＰ通信装置２１００から受信した両方の受信信号についてエラー判定を行い、エラーが存在していない受信信号を選択する必要があった。そのため、例えば選択装置４０００はエラー判定部を備える必要があった。
【００４２】
そこで、本開示に係る技術は、上述した課題のうち少なくとも１つを解決するために、放送信号の伝送の中断を効果的に防止する手段を備える。一例として、次節で説明する第１の実施形態では、放送信号中継装置が第１通信チャネルと並列的に第２通信チャネルで送信するための送信部を備える。後続する第２の実施形態では、第２通信チャネルを用いて並列的に送信されるＩＰパケットは、第１送信部を経由した放送信号に基づいて生成される。また、第２の実施形態では、放送信号中継装置が遅延部を備える。さらに続く第３の実施形態では、放送信号受信装置においてエラーフラグが受信信号に付加し、当該エラーフラグに基づいて受信信号を選択する。
【００４３】
＜＜２．第１の実施形態＞＞
図３及び図４を参照して、第１の実施形態に係る放送信号中継装置１００の構成と動作を説明する。図３は、第１の実施形態に係るシステム構成の一例を示すブロック図である。図４は、第１の実施形態において放送信号中継装置が無線信号を送信する処理の流れの一例を示すフローチャートである。
【００４４】
＜２−１．システムの構成例＞
図３に例示した放送局システム１は、上述した課題のうち少なくとも１つを解決する。放送局システム１は、放送信号の送信側となる放送信号中継装置１００と、放送信号の受信側となる放送信号受信装置２００と、を含む。放送信号中継装置１００は、第１通信チャネル１０及び第２通信チャネル２０を介して、放送信号を放送信号受信装置２００へ伝送する。
【００４５】
図１で説明したＦＰＵ装置２又はＦＰＵ基地局３は、本開示の放送信号中継装置１００を含んでよい。また、ＦＰＵ基地局３はＦＰＵ装置２からの放送信号を受信することから、本開示の放送信号中継装置１００を含んでよい。特に、第１通信チャネル１０及び第２通信チャネル２０の両方を用いて並列的に放送信号を伝送する場合に、本開示の放送信号中継装置１００及び放送信号受信装置２００を用いることが望ましい。
【００４６】
ここで、本開示の各実施形態では、映像、音声、及び、データなどのストリームを伝送（トランスポート）するために形成された信号を「放送信号」と表現している。この放送信号はトランスポートストリーム（以下、ＴＳ（Ｔｒａｎｓｐｏｒｔ  Ｓｔｒｅａｍ）と称することがある。）と表現されてもよい。また、本開示において「放送信号」は、放送信号、ＴＳ、又はＴＳ信号と表記することがある。また、ＴＳを構成するデータ単位を、パケット、又はＴＳパケットと表記することがある。
【００４７】
＜２−２．放送信号中継装置の構成例＞
図３の放送信号中継装置１００は、第１通信チャネル１０で放送信号を送信するための第１送信部１１０と、第２通信チャネル２０で放送信号を送信するための第２送信部１２０とを含む。
【００４８】
第１送信部１１０は、第１通信チャネル１０上に無線信号を送信するために用いられる。例えば、第１通信チャネル１０は無線通信チャネルであってよい。無線通信チャネルの周波数帯として、例えばマイクロ波帯が用いられてもよい。また、必要に応じてＵＨＦ帯やミリ波帯が用いられてもよい。
【００４９】
第２送信部１２０は、第２通信チャネル２０上にＩＰパケットを送信するために用いられる。また、第２送信部１２０は、第１通信チャネル１０上の無線信号と並列的に、第１通信チャネル１０とは異なる第２通信チャネル２０上でＩＰパケットを放送信号受信装置２００に送信する機能を持つ。例えば、第２送信部１２０は、第１送信部１１０により第１通信チャネル１０上へ送信される無線信号と第２送信部１２０により第２通信チャネル２０上へ送信されるＩＰパケットとの間で受信側での処理タイミングの差がゼロ又はわずかとなるようにＩＰパケットを送信するタイミングを調整する。これにより、同一の放送信号に由来する第１通信チャネル１０上の無線信号と第２通信チャネル２０上のＩＰパケットとを並列的に受信装置に送信することができる。
【００５０】
なお、第１通信チャネル１０及び第２通信チャネル２０は、互いに異なる特性を有する通信チャネルであることが望ましい。例えば、互いに異なる特性を有する通信チャネルである場合、一方の通信チャネルの伝送状況が悪化したとき、他方の通信チャネルの伝送状況も悪化している確率は相対的に低いと考えられるからである。
【００５１】
互いに異なる特性を有する通信チャネルは、例えば、放送事業用の周波数帯域を利用する無線回線と光ファイバー回線等の有線回線が用いられてよい。また、有線回線については、放送サービスの信頼性を担保するために、公衆回線ではなく専用回線を用いることが好ましい。ただし、高信頼性を備え、第１通信チャネル１０と異なる特性を有する通信チャネルであれば、第２通信チャネル２０は無線回線を利用してもよいし公衆回線を利用してもよい。
【００５２】
＜２−３．処理の流れ＞
次に、図４を用いて、上述した放送局システム１の放送信号中継装置１００において実行され得る主な処理の流れについて説明する。図４は、放送信号中継装置１００が放送信号を中継する動作の一例を示すフローチャートである。
【００５３】
まず、放送信号中継装置１００において、放送信号中継装置１００の外部から当該放送信号中継装置１００に入力された放送信号を取得する（ステップＳ１００）。外部から放送信号中継装置１００に入力される放送信号は、例えば、撮像カメラからの放送信号であり得る。または他のＦＰＵ装置２やＦＰＵ基地局３から受信した放送信号であってよい。また、放送信号中継装置１００の外部から入力される放送信号は、例えば、ＳＤＩ（Serial  Digital  Interface）規格に準拠したＳＤＩ信号、又はＡＳＩ（Asynchronous  Serial  Interface）規格に準拠したＡＳＩ信号であってよい。
【００５４】
次に、ステップＳ１００において取得された放送信号は、第１送信部１１０によって処理される。具体的には、第１送信部１１０は取得された放送信号に基づいて無線信号を生成する（ステップＳ１０１）。そして、第１送信部１１０は、生成された無線信号を、放送局システム１の無線チャネルである第１通信チャネル１０を介して放送局システム１の放送信号受信装置２００に送信する（ステップＳ１０２）。
【００５５】
一方、ステップＳ１００において取得された放送信号は、第２送信部１２０によっても処理される。具体的には、第２送信部１２０は取得された放送信号に基づいてＩＰパケットを生成する。そして、第２送信部１２０は、生成されたＩＰパケットを、第１通信チャネル１０とは異なる通信チャネルである第２通信チャネル２０を介して、第１通信チャネル１０の無線信号と並列的に、放送局システム１の放送信号受信装置２００に送信する。
【００５６】
このようにして、放送信号の伝送の中断を防ぐための冗長構成を実現することができる。放送信号中継装置１００は第１送信部１１０及び第２送信部１２０を含んでいるため、第１送信部１１０が送信する無線信号と第２送信部１２０が送信するＩＰパケットは、放送局システム１の放送信号受信装置２００に並列的に送信される。とりわけ、第１の実施形態に係る放送信号中継装置１００を使用すれば、図２のように個別のＩＰ通信装置を用意する必要がなくなるため、放送局システム１における機材数やコストを低減することができる。
【００５７】
すなわち、第１の実施形態によれば、放送局システム１における機材数を低減して、低コストで効果的に放送信号の伝送の中断を防止することができる。
【００５８】
＜＜３．第２の実施形態＞＞
第２の実施形態では、放送局システム１における放送信号中継装置１００及び放送信号受信装置２００の構成を第１の実施形態よりも具体的に説明する。
【００５９】
＜３−１．システムの構成例＞
図５を参照して、第２の実施形態に係る放送局システム１を説明する。第２の実施形態に係る放送局システム１は、放送信号の送信側となる放送信号中継装置１００と、放送信号の受信側となる放送信号受信装置２００と、を含む。放送信号中継装置１００は、第１通信チャネル１０及び第２通信チャネル２０を介して、放送信号を放送信号受信装置２００へ伝送する。
【００６０】
第１の実施形態と同様に、放送信号中継装置１００は第１送信部１１０及び第２送信部１２０を有するが、第２の実施形態の第２送信部１２０は、第１送信部からの放送信号に基づいてＩＰパケット生成処理を行う点で、第１の実施形態と異なっている。また、図５を参照すると、第２の実施形態は、第１送信部１１０から延びる線が第２送信部１２０の入力側に接続されている点で、第１の実施形態と異なっている。
【００６１】
さらに、放送信号受信装置２００は、第１受信部２１０、第２受信部２２０、及び選択部２３０を含む。選択部２３０は、第１受信部２１０及び第２受信部２２０と接続関係にある。
【００６２】
＜３−２．放送信号中継装置の第１構成例＞
図６は、第２の実施形態に係る放送信号中継装置１００の第１構成例を示すブロック図である。放送信号中継装置１００は、第１送信部１１０、第２送信部１２０、記憶部１３０、及び、設定部１４０を含む。
【００６３】
（１）第１送信部
第１送信部１１０は、放送信号中継装置１００の外部から入力された放送信号（例えばＳＤＩ信号、ＡＳＩ信号など）に基づいて無線信号を生成し、生成した無線信号を第１通信チャネル１０を介して放送局システム１の放送信号受信装置２００に送信する。第１送信部１１０は、スタッフィング部１１１、フレーミング部１１２、エラー訂正符号化部１１３、インタリーブ部１１４、及び、変調部１１５を含む。
【００６４】
（１−１）スタッフィング部
スタッフィング部１１１は、外部から入力された放送信号にスタッフィングデータを挿入する。例えば、入力される放送信号のビットレートが第１送信部１１０において用いられる伝送レートに満たない場合、スタッフィング部１１１は入力される放送信号にスタッフィングデータを挿入する。なお、スタッフィングデータは意味を持たない無効データである。スタッフィングデータは、ビット単位、バイト単位、又はパケット単位のデータであってよい。
【００６５】
（１−２）フレーミング部
フレーミング部１１２は、スタッフィング部１１１でスタッフィングデータが挿入された放送信号に対して、フレーミングを行う。フレーミングは、所定の単位のパケットを含むデータフレームを構成する処理、及び、データフレーム同期のための処理を含む。データフレームを構成する処理は、例えば８つのパケットから１つのデータフレームを構成してよい。また、データフレーム同期のための処理は、例えばデータフレームを構成する最初のパケットの同期バイトを、通常のパケットの同期バイトに対してビット反転した値にすることにより、データフレームの同期位置を識別できるようにしてよい。
【００６６】
また、フレーミング部１１２は、以後の信号処理のタイミングを規定するためのスーパーフレームの構成を行い得る。スーパーフレームは、例えば８つのデータフレームを含み、スーパーフレームの先頭はデータフレームの先頭と一致するように構成される。
【００６７】
（１−３）エラー訂正符号化部
エラー訂正符号化部１１３は、フレーミング部１１２でフレーミングされた放送信号に対して、エラー訂正符号化を行う。エラー訂正符号は、例えばブロック符号や畳み込み符号を用いることができる。ブロック符号は、例えばＲＳ（Ｒｅｅｄ−Ｓｏｌｏｍｏｎ）符号であってよい。畳み込み符号は、例えばパンクチャード（ｐｕｎｃｔｕｒｅｄ）畳み込み符号であってよい。
【００６８】
（１−４）インタリーブ部
インタリーブ部１１４は、エラー訂正符号化部１１３によってエラー訂正符号化された放送信号に対してインタリーブを行う。インタリーブの種類は、例えば、バイトインタリーブやビットインタリーブであってよい。インタリーブは、インタリーブ長に基づいてデータの並びを変更する処理であり、ある期間に連続して生じるバーストエラーに対するエラー耐性を高めるために用いられる。例えば、インタリーブは、いわゆる畳み込みインタリーブであってよい。具体的には、エラー訂正符号化された放送信号を所定のデータ単位に分割し、分割したデータ単位を、それぞれ異なる遅延量を有する遅延パスに振り分ける。
【００６９】
また、インタリーブは時間インタリーブの処理を含む。時間インタリーブは、フェージング特性を向上させることを目的とし、キャリアを時間軸上で分散させるために行う処理である。時間インタリーブは、畳み込みインタリーブを用いてよい。挿入される遅延量は、時間インタリーブ長（インタリーブの深さ）に比例して大きくなる。
【００７０】
（１−５）変調部
変調部１１５は、インタリーブ部１１４でインタリーブされた放送信号に対して、変調を行う。本開示の実施形態において、変調部１１５は直交周波数分割多重（ＯＦＤＭ：Orthogonal  Frequency  Division  Multiplexing）方式を用いる。ＯＦＤＭ方式は、隣り合うキャリア（搬送波）間で位相が直交するようにし、キャリアの周波数帯域を一部重ね合わせることを可能にする方式である。各キャリアの変調方式は、ＰＳＫ（Phase  Shift  Keying）やＱＡＭ（Quadrature  Amplitude  Modulation）などの変調方式を用いることができる。なお、変調部１１５はＯＦＤＭ方式などのマルチキャリア方式に代えて、シングルキャリア方式を用いてもよい。例えば、シングルキャリア方式の変調方式は、ＱＰＳＫ又はＱＡＭなどを用いることができる。また、変調部１１５は、ユーザからの入力を受け付けて、マルチキャリア方式（ＯＦＤＭモード）とシングルキャリア方式（マルチキャリアＱＡＭモード）を切り替え可能に構成されてもよい。
【００７１】
（２）第２送信部
第２の実施形態に係る放送信号中継装置１００の第２送信部１２０は、第１送信部１１０から入力された放送信号に基づいてＩＰパケットを生成し、生成したＩＰパケットを第２通信チャネル２０を介して放送局システム１の放送信号受信装置２００に送信する。第２送信部１２０は、遅延部１２１、及び、ＴＳ／ＩＰ変換部１２２を含む。
【００７２】
ここで、図６を参照すると、放送信号中継装置１００の第１構成例では、第１送信部１１０のインタリーブ部１１４でインタリーブされた放送信号が、第２送信部１２０に入力される。当該インタリーブされた放送信号に基づいて、第２送信部１２０がＩＰパケットを生成する。表現を変えると、第２送信部１２０は、第１送信部１１０を経由した放送信号に基づいてＩＰパケットを生成する。
【００７３】
また、放送信号中継装置１００の第１構成例において、第１送信部１１０を経由した放送信号は、第１送信部１１０のエラー訂正符号化部１１３でエラー訂正符号化された放送信号である。このエラー訂正符号化された放送信号が、第２送信部１２０に入力される。
【００７４】
（２−１）遅延部
遅延部１２１は、第２送信部１２０に入力された放送信号をＩＰパケットとして放送信号受信装置２００に送信するまでの遅延時間を調整する。例えば、遅延部１２１は、放送信号を遅延部１２１においてバッファリングすることにより、ＩＰパケットの生成タイミングを遅延させる。なお、上述した図６の例では、遅延部１２１は後述のＴＳ／ＩＰ変換部１２２の前段に配置されているが、遅延部１２１はＴＳ／ＩＰ変換部１２２の後段に配置されていてもよい。この場合、遅延部１２１は、生成されたＩＰパケットをバッファリングすることにより、ＩＰパケットの送信タイミングを遅延させてもよい。
【００７５】
また、遅延部１２１は、第１送信部１１０で行われる処理に関するパラメータに基づいて、ＩＰパケットの送信を遅延させる遅延量を制御することができる。第１送信部１１０で行われる処理に関するパラメータは、例えば、第１送信部１１０の、変調処理に対応する変調次数、エラー訂正処理に対応する符号化率、インタリーブ処理に対応するインタリーブ長のうち１つ以上を含んでよい。なお、遅延部１２１は、ここで列挙した以外の処理に関するパラメータを用いてもよい。さらに、遅延部１２１は、第１送信部１１０で行われる処理に対応する受信処理に関するパラメータを用いてもよい。
【００７６】
遅延部１２１の遅延方法としては、例えば、バッファ、メモリ、レジスタ等の一時記憶媒体を用いることができる。また、例えば、遅延量は、放送信号が一時記憶媒体に記憶されてから読み出されるまでの時間であってよい。
【００７７】
図７〜図９は、第１送信部１１０で行われる処理に関するパラメータの例を示す図である。例えば、図７は、変調次数のパラメータの一例を示す説明図である。図７は、変調に関するパラメータである変調次数と第１送信部１１０における処理時間と第２送信部１２０における遅延時間との対応関係を示している。変調次数は、シンボルあたりのビット数に対応し、変調次数が大きいほど多くの信号を伝送することができる。例えば、ＢＰＳＫ（Binary  Phase  Shift  Keying）は１シンボルあたり１ビットを変調することができ、１６ＱＡＭ（Quadrature  Amplitude  Modulation）であれば、１シンボルあたり４ビットを変調することができる。
【００７８】
例えば、遅延部１２１が用いる遅延量は、上記変調次数と当該変調次数における処理時間、及び、遅延時間との対応関係に基づいて決定されてよい。具体的には、変調次数がより低い場合は、無線信号が第１通信チャネルで伝送されるのに要する時間がより大きくなるため、第２送信部１２０の遅延部１２１によって遅延させる遅延量を比較的大きくする。また、変調次数がより高い場合は、無線信号が第１通信チャネルで伝送されるのに要する時間がより小さくなるため、第２送信部１２０の遅延部１２１によって遅延させる遅延量を比較的小さくする。これにより、第２送信部１２０が遅延量を調整して、第１通信チャネルで伝送される無線信号と並列的に第２通信チャネルでＩＰパケットを送信することができる。
【００７９】
図８は、符号化率のパラメータの一例を示す説明図である。図８は、エラー訂正符号化に関するパラメータである符号化率と第１送信部１１０における処理時間と第２送信部１２０における遅延時間との対応関係の一例を示す図である。
【００８０】
図９は、時間インタリーブ長のパラメータの一例を示す説明図である。図９は、インタリーブに関するパラメータであるインタリーブ長と第１送信部１１０における処理時間と第２送信部１２０における遅延時間との対応関係の一例を示す図である。
【００８１】
なお、図７〜図９に示すパラメータは一例に過ぎない。第１送信部１１０で行われる処理に関するパラメータは、他のいかなるパラメータを用いてもよい。さらに、第１送信部１１０で行われる処理に対応する受信処理に関するパラメータを用いてもよい。例えば、復調の処理に関するパラメータ、エラー訂正復号に関するパラメータ、及び、デインタリーブに関するパラメータを含んでいてもよい。
【００８２】
遅延部１２１が用いる遅延量は、予め取得できる静的な遅延量であることが望ましい。予め取得した静的な遅延量は、ユーザによって遅延部１２１に設定されることができる。なお、遅延量は、必要に応じて動的に変動する遅延量を用いてもよいし、統計的に算出された遅延量を用いてもよい。
【００８３】
（２−２）ＴＳ／ＩＰ変換部
ＴＳ／ＩＰ変換部１２２は、ＩＰパケットを生成するために、第２送信部１２０に入力された放送信号をＩＰパケットに変換する。入力された放送信号はＴＳ信号であり得るため、「ＴＳ／ＩＰ変換部１２２」と称する。
【００８４】
ＴＳ／ＩＰ変換部１２２は、入力された放送信号を所定の単位でペイロードデータへセグメント化する。そして、ＴＳ／ＩＰ変換部１２２は、セグメント化された各ペイロードデータにＩＰヘッダを付加することによってＩＰパケットを生成する。
【００８５】
（３）記憶部
記憶部１３０は、一時的な及び非一時的なコンピュータ読取可能なメモリを含む。一時的なメモリは、例えばＲＡＭ（Random  Access  Memory）を含み得る。非一時的なメモリは、例えばＲＯＭ（Read  Only  Memory）、ＨＤＤ（Hard  Disk  Drive）又はＳＳＤ（Solid  State  Drive）のうちの１つ以上を含み得る。記憶部１３０は、放送信号中継装置１００の機能を実現するためのコンピュータプログラムを記憶してもよい。さらに、記憶部１３０は、放送信号中継装置１００の動作において使用される様々なパラメータを記憶し得る。
【００８６】
例えば、記憶部１３０は、遅延部１２１に遅延量を設定するために用いられる、パラメータ、パラメータの候補値、及び、当該パラメータの候補値に対応する遅延時間を記憶している。図７〜図９に示す表形式の図は、説明のために「第１送信部１１０に関する処理時間」の列を含んでいるが、当該処理時間は、記憶部１３０に記憶されていても記憶されていなくてもよい。
【００８７】
記憶部１３０に記憶されるパラメータは、例えば、変調処理に対応する変調次数、エラー訂正処理に対応する符号化率、インタリーブ処理に対応するインタリーブ長、復調の処理に関するパラメータ、エラー訂正復号に関するパラメータ、デインタリーブに関するパラメータ、のうち１つ以上を含んでいてよい。さらには、秘匿化のためのスクランブル処理のためのパラメータ、エネルギー拡散処理のためのパラメータなどを含んでいてもよい。それぞれのパラメータに対応して、１つ以上のパラメータの候補値、及び、当該パラメータの候補値に対応する遅延時間が、記憶部１３０に記憶される。
【００８８】
（４）設定部
設定部１４０は、放送信号中継装置１００に対してパラメータの設定及びパラメータの変更を行うために用いられる。例えば、設定部１４０は、記憶部１３０から設定するパラメータ値に対応する遅延時間を読み出して、当該遅延時間を遅延部１２１に設定する。設定部１４０は、ユーザインタフェース（例えば、グラフィカルユーザインタフェース）を含む入出力手段によって実現されてよい。
【００８９】
設定部１４０は、放送信号中継装置１００にパラメータ又はパラメータ値をユーザから受け付けてよい。あるいは、設定部１４０は、放送信号中継装置１００に設定するパラメータ又はパラメータ値を他の装置から受け付けてもよい。上記他の装置は遠隔地にある装置であってよく、設定部１４０は遠隔地にある装置からパラメータ又はパラメータ値を受け付けるためのネットワークインタフェースを有していてもよい。
【００９０】
例えば、設定部１４０は、放送信号中継装置１００に設定するパラメータとして「変調次数」をユーザから受け付ける。すると、設定部１４０は、記憶部１３０に記憶されたパラメータ値の候補（例えば、ＢＰＳＫ、ＤＢＰＳＫ、・・・、６４ＱＡＭ）をユーザに提示する。その後、設定するパラメータ値がユーザにより指定されると、設定部１４０は、当該設定するパラメータ値に対応する遅延時間を記憶部１３０から読み出して、当該遅延時間を遅延部１２１に設定する。なお、この設定例は例示であり、他のいかなる設定態様を用いてもよい。
【００９１】
＜３−３．放送信号受信装置の構成例＞
図１０は、第２の実施形態に係る放送信号受信装置２００の一例を示すブロック図である。放送信号受信装置２００は、第１受信部２１０、第２受信部２２０、及び、選択部２３０を含む。
【００９２】
（１）第１受信部
第１受信部２１０は、第１通信チャネル上の無線信号を受信し、受信した無線信号から第１受信信号を生成する。そして、第１受信部２１０は、当該第１受信信号を選択部２３０に出力する。第１受信部２１０で行われる処理は、放送信号中継装置１００の第１送信部１１０で行われた処理に対応する処理である。当該第１送信部１１０で行われた処理に対応する処理は、復調、デインタリーブ、エラー訂正復号、又は、デフレーミングであってよい。
【００９３】
（２）第２受信部
第２受信部２２０は、第２通信チャネル上のＩＰパケットを受信し、受信したＩＰパケットから第２受信信号を生成する。そして、第２受信部２２０は、当該第２受信信号を選択部２３０に出力する。第２受信部２２０で行われる処理は、放送信号中継装置１００の第１送信部１１０及び第２送信部１２０で行われた処理に対応する処理である。当該処理について、送信側が図６の放送信号中継装置１００の第１構成例である場合は次のようになる。第１送信部１１０で行われた処理に対応する処理は、デインタリーブ、エラー訂正復号、及び、デフレーミングであり、第２送信部１２０で行われた処理に対応する処理は、ＩＰパケットからＴＳへの変換である。
【００９４】
上述した第１受信部２１０で行われる、デインタリーブ、エラー訂正復号、及び、デフレーミングの処理部分と、第２受信部２２０で行われる、デインタリーブ、エラー訂正復号、及び、デフレーミングの処理部分は、処理内容が同じである。
【００９５】
そこで、当該処理内容が同じである部分について、処理部分を実現するハードウェアやソフトウェアの構成を、第１受信部２１０と第２受信部２２０とで、それぞれ同じ構成にしてよい。あるいは、上記処理部分を実現するハードウェアやソフトウェアの構成を、第１受信部２１０と第２受信部２２０とで共有してよい。
【００９６】
ここで、送信側が図６の放送信号中継装置１００の第１構成例である場合、第１受信部２１０は、デフレーミングが行われていない受信信号を選択部２３０に出力してよい。また、第２受信部２２０も、デフレーミングが行われていない受信信号を選択部２３０に出力してよい。これは、送信側の第１構成例の放送信号中継装置１００において、無線信号及びＩＰパケットが、いずれも、スタッフィング及びフレーミングが行われた放送信号に基づいて生成されているからである。
【００９７】
つまり、送信側が図６の放送信号中継装置１００の第１構成例である場合は、無線信号とＩＰパケットとのデータ形式を互いに同じデータ形式に合わせるために、第１受信部２１０は、デフレーミングを行う必要がない。
【００９８】
（３）選択部
選択部２３０は、第１受信部２１０からの第１受信信号と第２受信部２２０からの第２受信信号のうち、いずれか一方の受信信号を選択する。この選択された受信信号は、後段の処理部（図示せず）に転送される。選択部２３０は、予め決められた条件に従って受信信号を選択する。
【００９９】
例えば、選択部２３０は、第１通信チャネルと第２通信チャネルのうちいずれか一方の通信チャネルの伝送状況に基づいて選択を行う。例えば、第１通信チャネルから受信した放送信号にエラーが生じているか否か、又は、第２通信チャネルから受信した放送信号にエラーが生じているか否かに基づいて、受信信号を選択する。
【０１００】
選択部２３０は、ある時点において第１受信信号を選択しており、第１通信チャネルから受信した放送信号についてエラー訂正復号を行った結果、訂正できないエラーが検出された場合に、第１受信信号の系統から第２受信信号の系統に選択を切り替える。また、選択部２３０は、ある時点において第２受信信号を選択しており、第２通信チャネルから受信した放送信号についてエラー訂正復号を行った結果、訂正できないエラーが検出された場合に、第２受信信号の系統から第１受信信号の系統に選択を切り替える。
【０１０１】
＜３−４．処理の流れ＞
次に、図１１及び図１２を用いて、第２の実施形態に係る放送信号中継装置１００、及び、放送信号受信装置２００において実行され得る主な処理の流れについて説明する。図１１は、放送信号中継装置１００が放送信号を送信する処理の流れの一例を示すフローチャートである。図１２は、放送信号受信装置２００が放送信号を受信する動作の一例を示すフローチャートである。
【０１０２】
図１１は、放送信号中継装置１００の動作の一例を示している。まず、放送信号中継装置１００は、放送信号中継装置１００の外部から放送信号中継装置１００に入力された放送信号を取得する（ステップＳ２００）。
【０１０３】
次に、放送信号中継装置１００に入力された放送信号に対し、第１送信部１１０によって無線信号生成処理が行われる。
【０１０４】
無線信号生成処理の一例として、まず、スタッフィング部１１１が、第１送信部１１０に入力された放送信号に対してスタッフィングを行う（ステップＳ２０２）。次に、フレーミング部１１２が、スタッフィングされた放送信号に対してフレーミングを行う（ステップＳ２０４）。次に、エラー訂正符号化部１１３が、フレーミングされた放送信号に対してエラー訂正符号化を行う（ステップＳ２０６）。次に、インタリーブ部１１４が、エラー訂正符号化された放送信号に対してインタリーブを行う（ステップＳ２０８）。次に、変調部１１５が、インタリーブされた放送信号に対して変調を行う（ステップＳ２１０）。
【０１０５】
そして、第１送信部１１０は、変調された放送信号を無線信号として放送信号受信装置２００へ送信する（ステップＳ２１２）。
【０１０６】
一方、放送信号中継装置１００に入力された放送信号は、第２送信部１２０によっても処理される。第２送信部１２０では、第１送信部１１０を経由した放送信号に基づいてＩＰパケットが生成される。放送信号中継装置１００の第１構成例では、第２送信部１２０は、第１送信部１１０のインタリーブ部１１４によってインタリーブされた放送信号に対してＩＰパケット生成処理を行う。
【０１０７】
まず、第２送信部１２０は、第１送信部１１０を経由して入力された放送信号を取得する（ステップＳ２１４）。次に、遅延部１２１は、インタリーブされた放送信号に対し、設定された遅延量に基づいて遅延させる（ステップＳ２１６）。次に、遅延された放送信号に基づいてＴＳ／ＩＰ変換部１２２がＩＰパケットを生成する（ステップＳ２１８）。
【０１０８】
そして、第２送信部１２０は、生成されたＩＰパケットを放送信号受信装置２００へ送信する（ステップＳ２２０）。
【０１０９】
図１２は、放送信号受信装置２００の動作の一例を示している。放送信号受信装置２００の第１受信部２１０は、放送信号中継装置１００から送信された無線信号を受信する（ステップＳ３０２）。また、当該ステップＳ３０２と並列的に、放送信号受信装置２００の第２受信部２２０は、放送信号中継装置１００から送信されたＩＰパケットを受信する（ステップＳ３０６）。
【０１１０】
そして、第１受信部２１０は、受信した無線信号から第１受信信号を生成する（ステップＳ３０４）。また、当該ステップＳ３０４と並列的に、第２受信部２２０は、受信したＩＰパケットから第２受信信号を生成する（ステップＳ３０８）。
【０１１１】
選択部２３０には、第１受信部２１０からの第１受信信号、及び第２受信部２２０からの第２受信信号が入力される。選択部２３０は、第１受信信号と第２受信信号のうちいずれか一方の受信信号を選択する（ステップＳ３１０）。
【０１１２】
このようにして、無線信号とＩＰパケットは放送信号中継装置１００によって並列的に送信され、放送信号受信装置２００によって並列的に受信される。放送信号受信装置２００では、第１受信部２１０からの第１受信信号と第２受信部２２０からの第２受信信号のうちいずれか一方の受信信号を選択することができ、低コストで効果的に放送信号の伝送の中断を防止することができる。
【０１１３】
第２の実施形態に係る放送信号中継装置１００の第２送信部１２０は、放送信号に基づいて生成されたＩＰパケットの送信を遅延させる遅延部１２１を備える。これにより、送信側の放送信号中継装置１００で遅延を調整することが可能となる。また、放送信号受信装置２００に、遅延差を補償するためのメモリの容量を削減することが可能となる。
【０１１４】
また、遅延部１２１は、第１送信部１１０で行われる処理に関するパラメータに応じて決定される遅延量だけ、ＩＰパケットの送信を遅延させる。これにより、送信側の放送信号中継装置１００は、無線信号の処理に関する遅延量に対応する遅延時間を用いて、遅延の調整を行うことが可能となる。
【０１１５】
また、第２の実施形態に係る放送信号中継装置１００は、パラメータの複数の候補値に対応する遅延量を記憶する記憶部１３０と、記憶部１３０に記憶された遅延量のうち遅延部１２１により用いられるべき遅延量を遅延部１２１に設定する設定部１４０とを含む。これにより、パラメータの複数の候補値の中から用いられるべきパラメータ値を選択するだけで、設定する遅延量を遅延部１２１に設定することができる。
【０１１６】
また、記憶部１３０が記憶するパラメータは、変調処理に対応する変調次数、エラー訂正処理に対応する符号化率、インタリーブ処理に対応する時間インタリーブ長のうち１つ以上を含む。これにより、設定部１４０は、変調処理、エラー訂正処理、インタリーブ処理に対応する遅延量を遅延部に容易に設定可能となる。
【０１１７】
また、第１構成例の放送信号中継装置１００は、第２送信部１２０が第１送信部１１０のインタリーブ部１１４によってインタリーブされた放送信号に基づいてＩＰパケットを生成するため、エラー訂正符号化及びインタリーブを行うための処理部を第２送信部１２０に設ける必要がない。
【０１１８】
また、無線信号及びＩＰパケットは、いずれも、スタッフィング、フレーミングが行われた放送信号に基づいて生成されているため、放送信号受信装置２００は、デインタリーブ、エラー訂正復号、及び、デフレーミングの処理部分について、当該処理部分を実現するハードウェアやソフトウェアの構成を、第１受信部２１０と第２受信部２２０とで共通化することができる。
【０１１９】
さらに、第１構成例の放送信号中継装置１００が送信する無線信号及びＩＰパケットは、それぞれ、スタッフィング及びフレーミングが行われた放送信号に基づいて生成されているため、第１受信部２１０及び第２受信部２２０は、デフレーミングが行われていない受信信号を選択部２３０に出力できる。これにより、選択部２３０は、フレーミング後のデータフレームに含まれるデータフレーム同期の同期バイトに基づいて、第１受信信号と第２受信信号とのタイミングを合わせることができる。したがって、放送信号受信装置２００は、装置の構成が簡略化され、容易に受信信号を選択することができる。
【０１２０】
第２の実施形態によれば、放送局システム１における機材数を低減して、低コストで効果的に放送信号の伝送の中断を防止することができる。
【０１２１】
＜３−５．放送信号中継装置の第２構成例＞
図１３は、第２の実施形態に係る放送信号中継装置１００の第２構成例を示すブロック図である。第２構成例において、放送信号中継装置１００が含む第１送信部１１０、第２送信部１２０、記憶部１３０、及び、設定部１４０の各機能は上記第１構成例と同様である。
【０１２２】
図１３を参照すると、放送信号中継装置１００において、エラー訂正符号化部１１３でエラー訂正符号化された放送信号が、第２送信部１２０に入力される。つまり、第２送信部１２０に入力される第１送信部１１０を経由した放送信号は、エラー訂正符号化後の放送信号であって、インタリーブ処理を経ていない放送信号である。
【０１２３】
例えば、第２送信部１２０は、インタリーブが行われていない放送信号に基づいてＩＰパケットを生成してもよい。あるいは、第２送信部１２０は、第１送信部１１０とは異なるインタリーブ方式を用いてインタリーブを行い、当該異なるインタリーブが行われた放送信号に基づいてＩＰパケットを生成してもよい。
【０１２４】
第２構成例の放送信号中継装置１００は、第２送信部１２０が第１送信部１１０のエラー訂正符号化部１１３によってエラー訂正符号化された放送信号に基づいてＩＰパケットを生成するため、放送信号受信装置２００は、エラー訂正復号の処理部分について、当該処理部分を実現するハードウェアやソフトウェアの構成を、第１受信部２１０と第２受信部２２０とで共通化することができる。
【０１２５】
さらに、第２構成例の放送信号中継装置１００が送信する無線信号及びＩＰパケットは、いずれも、フレーミングが行われた放送信号に基づいて生成されている。そのため、第１受信部２１０及び第２受信部２２０は、デフレーミングが行われていない受信信号を選択部２３０に出力できる。これにより、選択部２３０が受信信号のデータ形式を合わせてシームレスに受信信号を選択するためにデフレーミングを行う必要がなくなる。つまり、放送信号受信装置２００の処理構成を簡略化することができる。
【０１２６】
また、第１構成例と同様に、第２構成例の放送信号中継装置１００は遅延部１２１を備える。これにより、送信側の放送信号中継装置１００で遅延を調整することが可能となる。また、放送信号受信装置２００に、遅延差を補償するためのメモリの容量を削減することが可能となる。また、遅延部１２１は、第１送信部１１０で行われる処理に関するパラメータに応じて決定される遅延量だけ、ＩＰパケットの送信を遅延させる。これにより、送信側の放送信号中継装置１００は、無線信号の処理に関する遅延量に対応する遅延時間を用いて、遅延の調整を行うことが可能となる。
【０１２７】
＜３−６．放送信号中継装置の第３構成例＞
図１４は、第２の実施形態に係る放送信号中継装置１００の第３構成例を示すブロック図である。第３構成例において、放送信号中継装置１００が含む第１送信部１１０、第２送信部１２０、記憶部１３０、及び、設定部１４０の各機能は上記第１構成例と同様である。
【０１２８】
図１４を参照すると、放送信号中継装置１００において、フレーミング部１１２でフレーミングされた放送信号が、第２送信部１２０に入力される。つまり、第２送信部１２０に入力される第１送信部１１０を経由した放送信号は、フレーミング後の放送信号であって、エラー訂正符号化処理を経ていない放送信号である。
【０１２９】
例えば、第２送信部１２０は、エラー訂正符号化が行われていない放送信号に基づいてＩＰパケットを生成してもよい。あるいは、第２送信部１２０は、第１送信部１１０とは異なるエラー訂正符号化方式を用いてエラー訂正符号化を行い、当該異なるエラー訂正符号化が行われた放送信号に基づいてＩＰパケットを生成してもよい。
【０１３０】
第３構成例の放送信号中継装置１００は、第２送信部１２０が第１送信部１１０のフレーミング部１１２によってフレーミングされた放送信号に基づいてＩＰパケットを生成するため、放送信号受信装置２００は、デフレーミングの処理部分について、当該処理部分を実現するハードウェアやソフトウェアの構成を、第１受信部２１０と第２受信部２２０とで共通化することができる。
【０１３１】
さらに、第２構成例の放送信号中継装置１００が送信する無線信号及びＩＰパケットは、いずれも、フレーミングが行われた放送信号に基づいて生成されている。そのため、第１受信部２１０及び第２受信部２２０は、デフレーミングが行われていない受信信号を選択部２３０に出力できる。これにより、選択部２３０が受信信号のデータ形式を合わせてシームレスに受信信号を選択するためにデフレーミングを行う必要がなくなる。つまり、放送信号受信装置２００の処理構成を簡略化することができる。
【０１３２】
また、第１構成例と同様に、第３構成例の放送信号中継装置１００は遅延部１２１を備える。これにより、送信側の放送信号中継装置１００で遅延を調整することが可能となる。また、放送信号受信装置２００に、遅延差を補償するためのメモリの容量を削減することが可能となる。また、遅延部１２１は、第１送信部１１０で行われる処理に関するパラメータに応じて決定される遅延量だけ、ＩＰパケットの送信を遅延させる。これにより、送信側の放送信号中継装置１００は、無線信号の処理に関する遅延量に対応する遅延時間を用いて、遅延の調整を行うことが可能となる。
【０１３３】
＜３−７．放送信号中継装置の第４構成例＞
図１５は、第２の実施形態に係る放送信号中継装置１００の第４構成例を示すブロック図である。第４構成例において、放送信号中継装置１００が含む第１送信部１１０、第２送信部１２０、記憶部１３０、及び、設定部１４０の各機能は上記第１構成例と同様である。
【０１３４】
図１５を参照すると、放送信号中継装置１００において、スタッフィング部１１１でスタッフィングされた放送信号が、第２送信部１２０に入力される。つまり、第２送信部１２０に入力される第１送信部１１０を経由した放送信号は、スタッフィング後の放送信号であって、フレーミング処理を経ていない放送信号である。
【０１３５】
第３構成例の放送信号中継装置１００が送信する無線信号及びＩＰパケットは、いずれも、スタッフィングのみが行われた放送信号に基づいて生成されている。そのため、第１受信部２１０及び第２受信部２２０は、スタッフィングが行われている受信信号を選択部２３０に出力できる。
【０１３６】
また、第１構成例と同様に、第４構成例の放送信号中継装置１００は遅延部１２１を備える。これにより、送信側の放送信号中継装置１００で遅延を調整することが可能となる。また、放送信号受信装置２００に、遅延差を補償するためのメモリの容量を削減することが可能となる。また、遅延部１２１は、第１送信部１１０で行われる処理に関するパラメータに応じて決定される遅延量だけ、ＩＰパケットの送信を遅延させる。これにより、送信側の放送信号中継装置１００は、無線信号の処理に関する遅延量に対応する遅延時間を用いて、遅延の調整を行うことが可能となる。
【０１３７】
＜３−８．放送信号中継装置の第５構成例＞
図１６は、第２の実施形態に係る放送信号中継装置１００の第５構成例を示すブロック図である。第５構成例において、放送信号中継装置１００が含む第１送信部１１０、第２送信部１２０、記憶部１３０、及び、設定部１４０の各機能は上記第１構成例と同様である。
【０１３８】
図１６を参照すると、放送信号中継装置１００において、スタッフィング部１１１でスタッフィングされる前の放送信号が、第２送信部１２０に入力される。つまり、第２送信部１２０に入力される第１送信部１１０を経由した放送信号は、スタッフィング前の放送信号である。なお、放送信号中継装置の第５構成例においては、第２送信部１２０に入力される放送信号は第１送信部１１０を経由しなくてもよい。
【０１３９】
第１構成例と同様に、第５構成例の放送信号中継装置１００は遅延部１２１を備える。これにより、送信側の放送信号中継装置１００で遅延を調整することが可能となる。また、放送信号受信装置２００に、遅延差を補償するためのメモリの容量を削減することが可能となる。また、遅延部１２１は、第１送信部１１０で行われる処理に関するパラメータに応じて決定される遅延量だけ、ＩＰパケットの送信を遅延させる。これにより、送信側の放送信号中継装置１００は、無線信号の処理に関する遅延量に対応する遅延時間を用いて、遅延の調整を行うことが可能となる。
【０１４０】
＜＜４．第３の実施形態＞＞
第３の実施形態においては、第１の実施形態又は第２の実施形態の放送信号受信装置２００の構成が、より具体化されている。
【０１４１】
＜４−１．システムの構成例＞
第３の実施形態に係る放送局システム１は、基本的に図５で例示した第２の実施形態に係る放送局システム１と同様であるが、放送信号の受信側となる放送信号受信装置２００の構成が具体化されている。
【０１４２】
なお、第３の実施形態に係る放送信号中継装置１００は、第２の実施形態に係る放送信号中継装置１００の第１構成例に従って構成されていることを前提として説明する。当該放送信号中継装置１００の第１構成例について、重複する説明は省略する。
【０１４３】
＜４−２．放送信号受信装置の構成例＞
図１７は、第３の実施形態に係る放送信号受信装置の構成の一例を示すブロック図である。放送信号受信装置２００は、第１受信部２１０、第２受信部２２０、及び、選択部２３０を含む。
【０１４４】
（１）第１受信部
第１受信部２１０は、復調部２１１、第１デインタリーブ部２１２、及び、第１エラー訂正復号部／エラー判定部２１３を含む。第１受信部２１０は、第１通信チャネル上の無線信号を受信し、復調部２１１、第１デインタリーブ部２１２、及び、第１エラー訂正復号部／エラー判定部２１３で処理を行うことにより、受信した無線信号から第１受信信号を生成する。そして、第１受信部２１０は、当該第１受信信号を選択部２３０に出力する。
【０１４５】
（１−１）復調部
復調部２１１は、放送信号受信装置２００により受信される無線信号を復調する。復調部２１１は、放送信号中継装置１００の第１送信部１１０が行った変調方式に対応する復調を行い、復調された受信信号を第１デインタリーブ部２１２に出力する。
【０１４６】
（１−２）第１デインタリーブ部
第１デインタリーブ部２１２は、復調部２１１で復調された受信信号に対してデインタリーブを行う。第１デインタリーブ部２１２は、放送信号中継装置１００の第１送信部１１０が行ったインタリーブに対応するデインタリーブを行う。
【０１４７】
（１−３）第１エラー訂正復号部／エラー判定部
第１エラー訂正復号部／エラー判定部２１３は、第１デインタリーブ部２１２でデインタリーブされた受信信号に対してエラー訂正復号を行い、復号を行った結果、訂正できないエラーが発生したか否かの判定を行う。第１エラー訂正復号部／エラー判定部２１３は、訂正できないエラーが発生したと判定した場合に、エラーが存在することを示すエラーフラグを受信信号に付加し、当該エラーフラグが付加された信号を第１受信信号として選択部２３０に出力する。なお、第１エラー訂正復号部／エラー判定部２１３は、訂正できないエラーが発生していないと判定した場合には、エラーが存在しないことを示すエラーフラグを受信信号に付加してもよいし付加しなくてもよい。
【０１４８】
（２）第２受信部
第２受信部２２０は、ＩＰ／ＴＳ変換部２２１、第２デインタリーブ部２２２、第２エラー訂正復号部／エラー判定部２２３を含む。第２受信部２２０は、第２通信チャネル上のＩＰパケットを受信し、ＩＰ／ＴＳ変換部２２１、第２デインタリーブ部２２２、及び、第２エラー訂正復号部／エラー判定部２２３で処理を行うことにより、受信したＩＰパケットから第２受信信号を生成する。そして、第２受信部２２０は、当該第２受信信号を選択部２３０に出力する。
【０１４９】
（２−１）ＩＰ／ＴＳ変換部
ＩＰ／ＴＳ変換部２２１は、受信したＩＰパケットをトランスポートストリームに変換する。ＩＰ／ＴＳ変換部２２１は、受信したＩＰパケットからＩＰヘッダの除去を行い、ＩＰヘッダを除去して得られるペイロードを結合して一連のＴＳ（トランスポートストリーム信号に変換する。ＩＰ／ＴＳ変換部２２１は、変換されたＴＳ信号を第２デインタリーブ部２２２に出力する。
【０１５０】
（２−２）第２デインタリーブ部
第２デインタリーブ部２２２は、ＩＰ／ＴＳ変換部２２１でトランスポートストリームに変換された信号に対して、デインタリーブを行う。第２デインタリーブ部２２２は、放送信号中継装置１００の第１送信部１１０が行ったインタリーブに対応するデインタリーブを行い、デインタリーブされた信号を第２エラー訂正復号部／エラー判定部２２３に出力する。なお、例えば送信側の放送信号中継装置１００の構成が、上述した第２構成例である場合には、当該第２デインタリーブ部２２２を設けなくてもよい。
【０１５１】
（２−３）第２エラー訂正復号部／エラー判定部
第２エラー訂正復号部／エラー判定部２２３は、第２デインタリーブ部２２２でデインタリーブされた受信信号に対してエラー訂正復号を行い、復号を行った結果、訂正できないエラーが発生したか否かの判定を行う。第２エラー訂正復号部／エラー判定部２２３は、訂正できないエラーが発生したと判定した場合に、エラーが存在することを示すエラーフラグを受信信号に付加し、当該エラーフラグが付加された信号を第２受信信号として選択部２３０に出力する。なお、第２エラー訂正復号部／エラー判定部２２３は、訂正できないエラーが発生していないと判定した場合は、エラーが存在しないことを示すエラーフラグを受信信号に付加してもよいし付加しなくてもよい。
【０１５２】
（３）選択部
選択部２３０は、第１メモリ２３１、第２メモリ２３２、遅延調整部２３３、及び、セレクタ２３４を含む。選択部２３０は、第１受信部２１０からの第１受信信号を受け取ると、当該第１受信信号を第１メモリ２３１に格納し、第２受信部２２０からの第２受信信号を受け取ると、当該第２受信信号を第２メモリ２３２に格納する。第１メモリ２３１及び第２メモリ２３２に格納された受信信号は、遅延調整部２３３の制御に基づいて、セレクタは２３４に出力される。セレクタ２３４は、第１受信信号と第２受信信号のうちいずれか一方の受信信号を選択する。
【０１５３】
（３−１）第１メモリ
第１メモリ２３１は、第１受信部２１０から入力された第１受信信号を記憶する。また、第１メモリ２３１が記憶する第１受信信号は、後述の遅延調整部２３３によって第１メモリ２３１から読み出され、読み出された第１受信信号はセレクタ２３４に出力される。
【０１５４】
（３−２）第２メモリ
第２メモリ２３２は、第２受信部２２０から入力された第２受信信号を記憶する。また、第２メモリ２３２が記憶する第２受信信号は、後述の遅延調整部２３３によって第２メモリ２３２から読み出され、読み出された第２受信信号はセレクタ２３４に出力される。
【０１５５】
（３−３）遅延調整部
遅延調整部２３３は、第１メモリ２３１に記憶された第１受信信号を、第１メモリ２３１からセレクタ２３４に入力させるタイミングを決定する。また、遅延調整部２３３は、第２メモリ２３２に記憶された第２受信信号を、第２メモリ２３２からセレクタ２３４に入力させるタイミングを決定する。
【０１５６】
遅延調整部２３３は、第１メモリ２３１からセレクタ２３４へ第１受信信号が入力されるタイミングと、第２メモリ２３２からセレクタ２３４へ第２受信信号が入力されるタイミングとを調整する。例えば、第１受信信号及び第２受信信号は、デフレーミングされていない受信信号であり。データフレームとして扱われる。データフレームは、データフレーム同期のための同期バイトを含むため、遅延調整部２３３は、当該同期バイトに基づいて第１受信信号と第２受信信号のタイミングを調整する。
【０１５７】
（３−４）セレクタ
セレクタ２３４は、セレクタ２３４に入力された第１受信信号と第２受信信号のうち、いずれか一方の受信信号を選択する。セレクタ２３４は、ある基準又はある条件に基づいて受信信号を選択してよい。例えば、セレクタ２３４は、第１受信信号及び第２受信信号に含まれる情報を監視する機能を有することができる。具体的には、第１受信信号のエラーフラグと第２受信信号のエラーフラグを監視する機能を有し、エラーフラグの内容に基づいてエラーが存在していない受信信号を選択してもよい。なお、セレクタ２３４は、セレクタ２３４の外部からの制御により受信信号を選択してもよい
【０１５８】
セレクタ２３４は、第１受信信号と第２受信信号のうち当該セレクタ２３４が現在選択している受信信号の系統を認識し得る。当該セレクタ２３４が現在選択している受信信号の系統にエラーが存在している場合は、他方の受信信号の系統を選択するように切り替えることができる。なお、いずれの系統にもエラーが存在している場合は、障害が生じていることを放送局システム１の管理者や管理装置に通知してもよい。
【０１５９】
＜４−３．処理の流れ＞
次に、図１８を用いて、第３の実施形態に係る放送信号受信装置２００おいて実行され得る第１受信信号生成処理及び第２受信信号生成処理について説明する。
【０１６０】
図１８は、第３の実施形態に係る放送信号受信装置の第１受信信号生成処理及び第２受信信号生成処理の一例を示すフローチャートである。当該フローチャートの左側（ステップＳ４０２〜ステップＳ４１０）は、放送信号受信装置２００の第１受信部２１０が行う第１受信信号生成処理に関連し、フローチャートの右側（ステップＳ５０２〜ステップＳ５１０）は、放送信号受信装置２００の第２受信部２２０が行う第２受信信号生成処理に関連する。第１受信信号生成処理及び第２受信信号生成処理は並列的に行われる。
【０１６１】
図１８のフローチャートの左側（ステップＳ４０２〜ステップＳ４１０）を参照し、第１受信信号生成処理について説明する。
【０１６２】
まず、第１受信部２１０は、放送信号中継装置１００から第１通信チャネルを介して無線信号を受信する（ステップＳ４０２）。次に、復調部２１１は、受信した無線信号の復調を行う（ステップＳ４０４）。次に、第１デインタリーブ部２１２は、復調された信号のデインタリーブを行う（ステップＳ４０６）。次に、第１エラー訂正復号部／エラー判定部２１３は、デインタリーブされた信号のエラー訂正復号を行う（ステップＳ４０８）。さらに、第１エラー訂正復号部／エラー判定部２１３は、エラー訂正復号の結果に基づいてエラーフラグを生成し、エラー訂正復号された信号にエラーフラグを付加する（ステップＳ４１０）。
【０１６３】
この第１受信信号生成処理を経て生成された信号は、第１受信信号と呼ばれ、選択部２３０へ出力される。選択部２３０では、入力された第１受信信号を第１メモリ２３１に格納する（ステップＳ４１２）。
【０１６４】
次に、図１８のフローチャートの右側（ステップＳ５０２〜ステップＳ５１０）を参照し、第２受信信号生成処理について説明する。
【０１６５】
まず、放送信号受信装置２００の第２受信部２２０は、放送信号中継装置１００から第２通信チャネルを介してＩＰパケットを受信する（ステップＳ５０２）。次に、ＩＰ／ＴＳ変換部２２１は、受信したＩＰパケットをＴＳに変換する（ステップＳ５０４）。次に、第２デインタリーブ部２２２は、変換された信号のデインタリーブを行う（ステップＳ５０６）。次に、第２エラー訂正復号部／エラー判定部２２３は、デインタリーブされた信号のエラー訂正復号を行う（ステップＳ５０８）。さらに、第２エラー訂正復号部／エラー判定部２２３は、エラー訂正復号の結果に基づいてエラーフラグを生成し、エラー訂正復号された信号にエラーフラグを付加する（ステップＳ５１０）。
【０１６６】
この第２受信信号生成処理を経て生成された信号は、第２受信信号と呼ばれ、選択部２３０へ出力される。選択部２３０では、入力された第２受信信号を第２メモリ２３２に格納する（ステップＳ５１２）。
【０１６７】
図１９は、第３の実施形態に係る放送信号受信装置の選択処理の一例を示すフローチャートである。図１９を参照して、選択部２３０が行う選択処理（サブフローＳ６００）について説明する。選択部２３０は、現在選択中の受信系統が、第１受信信号であるのか第２受信信号であるのか、いずれであるのかを判定する（ステップＳ６０２）。
【０１６８】
現在選択中の受信系統が第１受信信号である場合、第１受信信号のエラーフラグがエラーを示しているか否かを判定する（ステップＳ６０４）。判定の結果がエラーを示していない場合、ステップＳ６０４でＮｏとなり、選択部２３０は現在選択中の第１受信信号の選択を切り替える必要がないため、そのまま第１受信信号を選択する（ステップＳ６０６）。しかし、判定の結果がエラーを示している場合は、ステップＳ６０４でＹｅｓとなり、第２受信信号を選択する（ステップ６１０）。
【０１６９】
次に、図１９のステップＳ６０２に戻り、現在選択中の受信系統が、第２受信信号である場合の処理について説明する。
【０１７０】
現在選択中の受信系統が第２受信信号である場合、第２受信信号のエラーフラグがエラーを示しているか否かを判定する（ステップＳ６０８）。判定の結果がエラーを示していない場合、ステップＳ６０８でＮｏとなり、現在選択中の第２受信信号の選択を切り替える必要がないため、そのまま第２受信信号を選択する（ステップＳ６１０）。しかし、判定の結果がエラーを示している場合は、ステップＳ６０８でＹｅｓとなり、第１受信信号を選択する（ステップ６０６）。
【０１７１】
このようにして、放送信号受信装置２００の選択部２３０は、第１受信信号と第２受信信号のうちいずれか一方の受信信号のうち、エラーフラグに基づいてエラーが存在していない受信信号をシームレスに選択することができる。
【０１７２】
上述したように、第３の実施形態では、放送信号受信装置２００の第１受信部は２１０、第１受信信号に対してエラー検出を行い、エラーが検出された場合に、第１受信信号にエラーフラグを付加する。放送信号受信装置２００の第２受信部２２０は、第２受信信号に対してエラー検出を行い、エラーが検出された場合に、第２受信信号にエラーフラグを付加する。放送信号受信装置２００の選択部２３０は、第１受信信号と第２受信信号のうちいずれか一方の受信信号のうち、エラーフラグに基づいてエラーが存在していない受信信号を選択する。
【０１７３】
これにより、第１受信部２１０及び第２受信部２２０がエラー検出を行い、エラーフラグを受信信号に付加するため、選択部２３０は、受信信号についてエラーが検出されたか否かを判定する必要がなくなる。したがって、放送信号受信装置２００の処理構成を簡略化することができる。
【０１７４】
また、第１構成例の放送信号中継装置１００が送信する無線信号及びＩＰパケットは、いずれも、スタッフィング、フレーミング、エラー訂正符号化、及び、インタリーブが行われた放送信号に基づいて生成されている。そのため、第１受信部２１０及び第２受信部２２０が行う、デインタリーブ及びエラー訂正復号の処理部分について、当該処理部分を実現するハードウェアやソフトウェアの構成を、第１受信部２１０と第２受信部２２０とで共通化することができる。したがって、放送信号受信装置２００の処理構成を簡略化することができる。
【０１７５】
第３の実施形態によれば、放送局システム１の放送信号受信装置２００における構成の簡略化を実現し、低コストで効果的に放送信号の伝送の中断を防止することができる。
【０１７６】
＜＜５．変形例＞＞
本開示に係る技術は、上述した実施形態には限定されない。本開示に係る技術の課題の一つに、放送局システムにおける通信設備の設置スペースの低減が挙げられる。そのために、本開示に係る放送信号中継装置１００の変形例をいくつか述べる。
【０１７７】
＜５−１．第１変形例＞
図２０は、第１変形例に係るシステムの構成及び放送信号中継装置の構成の一例を示すブロック図である。図２０を参照して、放送信号中継装置１００の第１変形例を説明する。図２０に記載の放送信号中継装置１００は、放送信号中継装置１００の機能としてエンコーダ３００を含む構成が考えられる。
【０１７８】
エンコーダ３００は、例えば、カメラ等で撮像された撮像信号に対して圧縮符号化などの処理を行い、通信チャネルを介して伝送するための符号化信号を生成する機能を有する。例えば圧縮前の撮像信号はＳＤＩ信号であり、圧縮後の符号化信号はＡＳＩ信号であり得る。
【０１７９】
＜５−２．第２変形例＞
図２１は、第２変形例に係るシステムの構成及び放送信号中継装置の構成の一例を示すブロック図である。図２１を参照して、放送信号中継装置１００の第２変形例と説明する。図２１に記載の放送信号中継装置１００は、放送信号中継装置１００の第１送信部１１０の機能としてエンコーダ３００を含む構成が考えられる。
【０１８０】
例えば、第２通信チャネル２０が、例えば光ファイバー等で構成される大容量の通信チャネルである場合、第２送信部１２０は、非圧縮の放送信号をＩＰパケットに変換して送信することができる。一方、第１送信部１１０は、第１送信部１１０が内蔵するエンコーダ３００を用いることにより、符号化された放送信号から無線信号を生成して、放送信号受信装置２００へ送信することができる。
【０１８１】
＜５−３．第３変形例＞
図２２は、第３変形例に係るシステムの構成及び放送信号中継装置の構成の一例を示すブロック図である。図２２を参照して、放送信号中継装置１００の第３変形例と説明する。図２２に記載の放送信号中継装置１００は、放送信号中継装置１００の機能としてエンコーダ３００、及び、入力セレクタ３１０を含む構成が考えられる。
【０１８２】
＜＜６．まとめ＞＞
ここまで、図１〜図２２を用いて本開示のいくつかの実施形態について詳細に説明した。上述した実施形態では、放送局システムの放送信号中継装置は、生成されたＩＰパケットを、第１通信チャネル上の無線信号と並列的に、第１通信チャネルとは異なる第２通信チャネル上で受信装置に送信する。これにより、放送局システム１において機材数を低減して、低コストで効果的に放送信号の伝送の中断を防止することができる。
【０１８３】
ある実施形態では、放送局システムの放送信号中継装置は、第１送信部を経由した放送信号に基づいてＩＰパケットを生成する。これにより、上述した無線信号及びＩＰパケットを並列的に受信する放送信号受信装置において、無線信号を処理する系統とＩＰパケットを処理する系統との間で構成を少なくとも部分的に共通化することができる。放送信号受信装置の構成が簡略化され、受信信号を容易に選択することができる。
【０１８４】
ある実施形態では、放送局システムの放送信号中継装置は、放送信号に基づいて生成されたＩＰパケットの送信を遅延させる遅延部を備える。これにより、放送信号受信装置に、遅延差を補償するためのメモリの容量を削減することが可能となる。
【０１８５】
ある実施形態では、放送局システムの放送信号中継装置は、第１送信部で行われる処理に関するパラメータに応じて決定される遅延量だけ、ＩＰパケットの送信を遅延させる。これにより、送信側の放送信号中継装置は、無線信号の処理に関する遅延量に対応する遅延時間を用いて、遅延の調整を行うことが可能となる。その結果、放送信号受信装置は、受信信号のシームレスな切り替えを効果的に行うことができる。
【０１８６】
ある実施形態では、放送信号受信装置は、第１受信信号と第２受信信号のうちいずれか一方の受信信号のうち、エラーフラグに基づいてエラーが存在していない受信信号を選択する。エラー訂正復号の処理部分について、当該処理部分を実現するハードウェアやソフトウェアの構成を、第１受信部と第２受信部とで共通化することができる。さらに、放送信号受信装置の選択部は、受信信号についてエラーが検出されたか否かを判定する必要がなくなる。その結果、放送信号受信装置における構成の簡略化を実現でき、低コストで効果的に放送信号の伝送の中断を防止することができる。
【０１８７】
なお、本開示に係る技術は、上述した実施形態に限定されるものではない。これらの実施形態は例示にすぎないということ、並びに、本開示のスコープ及び精神から逸脱することなく様々な変形が可能であるということが、当業者に理解されるであろう。
【０１８８】
例えば、フローチャートに示した処理ステップは、必ずしも図示した順序通りに実行されなくてもよい。例えば、処理ステップは図示した順序とは異なる順序で実行されてもよく、２つ以上の処理ステップが並列的に実行されてもよい。また、一部の処理ステップが削除されてもよく、さらなる処理ステップが追加されてもよい。
【０１８９】
また、本明細書において説明した装置の機能は、ソフトウェア、ハードウェア、及びソフトウェアとハードウェアとの組み合わせのいずれで実現されてもよい。ソフトウェアを構成するコンピュータプログラムのプログラム命令は、例えば、各装置の内部又は外部のコンピュータ読取可能な記憶媒体において記憶され、実行時にメモリへ読み込まれてプロセッサにより実行される。
【０１９０】
上記実施形態の一部又は全部は、以下の付記のようにも記載され得るが、以下には限られない。
【０１９１】
（付記１）
放送局システムの放送信号中継装置であって、
入力された放送信号に基づいて無線信号を生成し、生成された前記無線信号を前記放送局システムの無線チャネルである第１通信チャネル上で前記放送局システムの受信装置に送信する第１送信部と、
前記放送信号に基づいてＩＰパケットを生成し、生成された前記ＩＰパケットを、前記第１通信チャネル上の前記無線信号と並列的に、前記第１通信チャネルとは異なる第２通信チャネル上で前記受信装置に送信する第２送信部と、
を備える放送信号中継装置。
【０１９２】
（付記２）
前記第２送信部は、前記第１送信部を経由した前記放送信号に基づいて前記ＩＰパケットを生成する、付記１に記載の放送信号中継装置。
【０１９３】
（付記３）
前記第１送信部を経由した前記放送信号はエラー訂正符号化後の放送信号である、付記２に記載の放送信号中継装置。
【０１９４】
（付記４）
前記第１送信部を経由した前記放送信号はフレーミング後の放送信号である、付記２に記載の放送信号中継装置。
【０１９５】
（付記５）
前記第１送信部を経由した前記放送信号はスタッフィング後の放送信号である、付記２に記載の放送信号中継装置。
【０１９６】
（付記６）
前記第１送信部を経由した前記放送信号はスタッフィング前の放送信号である、付記２に記載の放送信号中継装置。
【０１９７】
（付記７）
前記第２送信部は、前記放送信号に基づいて生成された前記ＩＰパケットの送信を遅延させる遅延部を備える、付記１から６のいずれか１項に記載の放送信号中継装置。
【０１９８】
（付記８）
前記遅延部は、前記第１送信部で行われる処理に関するパラメータに応じて決定される遅延量だけ、前記ＩＰパケットの送信を遅延させる、付記７に記載の放送信号中継装置。
【０１９９】
（付記９）
前記パラメータの複数の候補値に対応する遅延量を記憶する記憶部と、
前記記憶部に記憶された前記遅延量のうち前記遅延部により用いられるべき遅延量を前記遅延部に設定する設定部と、
を備える、付記８に記載の放送信号中継装置。
【０２００】
（付記１０）
前記パラメータは、変調処理に対応する変調次数、エラー訂正処理に対応する符号化率、インタリーブ処理に対応する時間インタリーブ長のうち１つ以上を含む、付記8又は付記９に記載の放送信号中継装置。
【０２０１】
（付記１１）
付記１から１０のいずれか１項に記載の放送信号中継装置と、前記受信装置と、を備える放送信号中継システム。
【０２０２】
（付記１２）
前記受信装置は、
前記第１通信チャネル上の前記無線信号を受信し、受信した前記無線信号から第１受信信号を生成する第１受信部と、
前記第２通信チャネル上の前記ＩＰパケットを受信し、受信した前記ＩＰパケットから第２受信信号を生成する第２受信部と、
前記第１受信部からの前記第１受信信号と前記第２受信部からの前記第２受信信号のうちいずれか一方の受信信号を選択する選択部と、
を備える付記１１に記載の放送信号中継システム。
【０２０３】
（付記１３）
前記第１受信部は、前記第１受信信号に対してエラー検出を行い、エラーが検出された場合に、前記第１受信信号にエラーフラグを付加する第１エラー判定部を備え、
前記第２受信部は、前記第２受信信号に対してエラー検出を行い、エラーが検出された場合に、前記第２受信信号にエラーフラグを付加する第２エラー判定部を備え、
前記選択部は、前記第１受信信号と前記第２受信信号のうちいずれか一方の受信信号のうち、前記エラーフラグに基づいてエラーが存在していない受信信号を選択する、付記１２に記載の放送信号中継システム。
【０２０４】
（付記１４）
入力された放送信号に基づいて放送局システムの受信装置に送信するための無線信号を生成し、生成された前記無線信号を前記放送局システムの無線チャネルである第１通信チャネル上で前記受信装置に送信することと、
前記放送信号に基づいて前記受信装置に送信するためのＩＰパケットを生成し、生成された前記ＩＰパケットを、前記第１通信チャネル上の前記無線信号と並列的に、前記第１通信チャネルとは異なる第２通信チャネル上で前記受信装置に送信することと、
を備える、放送信号中継方法。
【符号の説明】
【０２０５】
１                放送局システム
２（２ａ，２ｂ）  ＦＰＵ装置
３（３ａ〜３ｃ）  ＦＰＵ基地局
４                受信設備
５                送信所
１０              第１通信チャネル
２０              第２通信チャネル
１００            放送信号中継装置
１１０            第１送信部
１１１            スタッフィング部
１１２            フレーミング部
１１３            エラー訂正符号化部
１１４            インタリーブ部
１１５            変調部
１２０            第２送信部
１２１            遅延部
１２２            ＴＳ／ＩＰ変換部
１３０            記憶部
１４０            設定部
２００            放送信号受信装置
２１０            第１受信部
２１１            復調部
２１２            第１デインタリーブ部
２１３            第１エラー訂正復号部／エラー判定部
２２０            第２受信部
２２１            ＩＰ／ＴＳ変換部
２２２            第２デインタリーブ部
２２３            第２エラー訂正復号部／エラー判定部
２３０            選択部
２３１            第１メモリ
２３２            第２メモリ
２３３            遅延調整部
２３４            セレクタ
【図１】
2020178179.tif 000003
【図２】
2020178179.tif 000004
【図３】
2020178179.tif 000005
【図４】
2020178179.tif 000006
【図５】
2020178179.tif 000007
【図６】
2020178179.tif 000008
【図７】
2020178179.tif 000009
【図８】
2020178179.tif 000010
【図９】
2020178179.tif 000011
【図１０】
2020178179.tif 000012
【図１１】
2020178179.tif 000013
【図１２】
2020178179.tif 000014
【図１３】
2020178179.tif 000015
【図１４】
2020178179.tif 000016
【図１５】
2020178179.tif 000017
【図１６】
2020178179.tif 000018
【図１７】
2020178179.tif 000019
【図１８】
2020178179.tif 000020
【図１９】
2020178179.tif 000021
【図２０】
2020178179.tif 000022
【図２１】
2020178179.tif 000023
【図２２】
2020178179.tif 000024